(57)【要約】【課題】タッチパネルを備えた表示システムにおける操作性を向上させることができる、表示システムを提供すること。【解決手段】前方表示画面と後方表示画面とをディスプレイにより重畳的に表示可能である表示システム１において、前方ディスプレイ１１の前方に重畳配置された接触検出面１０ａを有するタッチパネル１０と、接触検出面１０ａで検出された接触位置に対して、前方表示画面に表示された操作画像に対応する入力を受け付ける前方入力領域と、後方表示画面に表示された操作画像に対応する入力を受け付ける後方入力領域とを識別できるように設定し、接触検出面１０ａで検出された接触位置が後方入力領域から前方入力領域に入った場合、後方表示画面に表示された操作画像に対応する制御を継続させると共に、前方表示画面に表示された操作画像に対応する入力を受け付け不能とする制御を行う入力制御部１３ａとを備える。【選択図】図１
2013131188.tif 000002
【特許請求の範囲】
【請求項１】
前方表示画面と後方表示画面とをディスプレイにより重畳的に表示可能である表示システムにおいて、
前記ディスプレイの前方に重畳配置された接触検出面を有する入力手段と、
前記接触検出面で検出された接触位置に対して、前記前方表示画面に表示された操作画像に対応する入力を受け付ける前方入力領域と、前記後方表示画面に表示された操作画像に対応する入力を受け付ける後方入力領域とを識別できるように設定し、前記接触検出面で検出された接触位置が前記後方入力領域から前記前方入力領域に入った場合、前記後方表示画面に表示された操作画像に対応する制御を継続させると共に、前記前方表示画面に表示された操作画像に対応する入力を受け付け不能とする制御を行う入力制御手段と、
を備える表示システム。
【請求項２】
前記入力制御手段は、前記接触検出面で検出された接触位置が前記後方入力領域から前記前方入力領域に入った場合、当該前方入力領域における当該接触位置が入った領域に対応する前記前方表示画面に表示された操作画像に対応する前記ディスプレイの表示を変更する、
請求項１に記載の表示システム。
【請求項３】
前記入力制御手段は、前記接触検出面で検出された接触位置が前記後方入力領域から前記前方入力領域に入った場合、当該前方入力領域における当該接触位置が入った領域に対応する前記前方表示画面に表示された操作画像に対応する前記ディスプレイの操作画像を消去する、
請求項２に記載の表示システム。
【請求項４】
前記入力制御手段は、前記接触検出面で検出された接触位置が前記後方入力領域から前記前方入力領域に入った場合、当該前方入力領域における当該接触位置が入った領域に対応する前記前方表示画面に表示された前記ディスプレイの操作画像を、当該接触位置が入った領域以外の領域に対応するように移動する、
請求項２に記載の表示システム。
【請求項５】
前記ディスプレイは、前方ディスプレイと後方ディスプレイとを距離を隔てて重畳配置して構成され、
前記後方ディスプレイに表示された前記後方表示画面を、前記前方ディスプレイに表示された前記前方表示画面を通して視認可能であり、
前記入力手段の接触検出面は、前記前方ディスプレイの前方に重畳配置され、
前記入力制御手段は、前記接触検出面で検出された接触位置に対して、前記前方ディスプレイの前記前方表示画面に表示された操作画像に対応する入力を受け付ける前方入力領域と、前記後方ディスプレイの前記後方表示画面に表示された操作画像に対応する入力を受け付ける後方入力領域とを識別できるように設定し、前記接触検出面で検出された接触位置が前記後方入力領域から前記前方入力領域に入った場合、前記後方ディスプレイの前記後方表示画面に表示された操作画像に対応する制御を継続させると共に、前記前方ディスプレイの前記前方表示画面に表示された操作画像に対応する入力を受け付け不能とする制御を行う、
請求項１から４のいずれか一項に記載の表示システム。
【請求項６】
前方表示画面と後方表示画面とをディスプレイにより重畳的に表示可能である表示方法において、
前記ディスプレイの前方に重畳配置された接触検出面を有する入力手段を介して入力を受け付ける入力ステップと、
前記接触検出面で検出された接触位置に対して、前記前方表示画面に表示された操作画像に対応する入力を受け付ける前方入力領域と、前記後方表示画面に表示された操作画像に対応する入力を受け付ける後方入力領域とを識別できるように設定し、前記接触検出面で検出された接触位置が前記後方入力領域から前記前方入力領域に入った場合、前記後方表示画面に表示された操作画像に対応する制御を継続させると共に、前記前方表示画面に表示された操作画像に対応する入力を受け付け不能とする制御を行う入力制御ステップと、
を含む表示方法。
【請求項７】
請求項６に記載の方法をコンピュータに実行させる表示プログラム。
【発明の詳細な説明】
【技術分野】
【０００１】
本発明は、表示システム、表示方法、及び表示プログラムに関する。
【背景技術】
【０００２】
従来、複数の液晶パネルを重畳配置して構成した多層表示装置（ＭＬＤ：Ｍｕｌｔｉ  Ｌａｙｅｒ  Ｄｉｓｐｌａｙ）が知られている。例えば、２枚の液晶パネルを重畳配置して構成したデュアルスクリーンディスプレイにおいて、後方スクリーン上に配置されている所定のターゲット画像要素と前方スクリーン上の画像要素とが重なる交差領域について前方スクリーンを透明にすることで、後方スクリーンに表示されるターゲット画像要素が見えるようにする方法が提案されている（例えば、特許文献１参照）。
【先行技術文献】
【特許文献】
【０００３】
【特許文献１】特表２００９−５１７６９８号公報
【発明の概要】
【発明が解決しようとする課題】
【０００４】
ところで、上述の如き従来の多層表示装置における最前方のスクリーンの前面においてタッチパネルを重畳配置し、当該タッチパネルの接触検出面において各スクリーンに表示された操作画像に対応する位置で入力を受け付けることが考えられる。ここで、接触検出面で検出された接触位置に対応して、複数のスクリーンに操作画像が表示されている場合、いずれのスクリーンの操作画像に対応する入力であるのかを判別できない可能性があった。すなわち上述の如き従来の方法は、交差領域について前方スクリーンを透明にすることで、後方スクリーンに表示されるターゲット画像要素が見えるようにするものに過ぎず、複数のスクリーンに操作画像が表示されている場合においていずれのスクリーンの操作画像に対応する入力であるのかを判別することが困難であった。このように従来の多層表示装置においては、操作性にさらなる向上の余地があった。
【０００５】
本発明は、上記に鑑みてなされたものであって、タッチパネルを備えた表示システムにおける操作性を向上させることができる、表示システム、表示方法、及び表示プログラムを提供することを目的とする。
【課題を解決するための手段】
【０００６】
上述した課題を解決し、目的を達成するために、請求項１に記載の表示システムは、前方表示画面と後方表示画面とをディスプレイにより重畳的に表示可能である表示システムにおいて、前記ディスプレイの前方に重畳配置された接触検出面を有する入力手段と、前記接触検出面で検出された接触位置に対して、前記前方表示画面に表示された操作画像に対応する入力を受け付ける前方入力領域と、前記後方表示画面に表示された操作画像に対応する入力を受け付ける後方入力領域とを識別できるように設定し、前記接触検出面で検出された接触位置が前記後方入力領域から前記前方入力領域に入った場合、前記後方表示画面に表示された操作画像に対応する制御を継続させると共に、前記前方表示画面に表示された操作画像に対応する入力を受け付け不能とする制御を行う入力制御手段とを備える。
【０００７】
また、請求項２に記載の表示システムは、請求項１に記載の表示システムにおいて、前記入力制御手段は、前記接触検出面で検出された接触位置が前記後方入力領域から前記前方入力領域に入った場合、当該前方入力領域における当該接触位置が入った領域に対応する前記前方表示画面に表示された操作画像に対応する前記ディスプレイの表示を変更する。
【０００８】
また、請求項３に記載の表示システムは、請求項２に記載の表示システムにおいて、前記入力制御手段は、前記接触検出面で検出された接触位置が前記後方入力領域から前記前方入力領域に入った場合、当該前方入力領域における当該接触位置が入った領域に対応する前記前方表示画面に表示された操作画像に対応する前記ディスプレイの操作画像を消去する。
【０００９】
また、請求項４に記載の表示システムは、請求項２に記載の表示システムにおいて、前記入力制御手段は、前記接触検出面で検出された接触位置が前記後方入力領域から前記前方入力領域に入った場合、当該前方入力領域における当該接触位置が入った領域に対応する前記前方表示画面に表示された前記ディスプレイの操作画像を、当該接触位置が入った領域以外の領域に対応するように移動する。
【００１０】
また、請求項５に記載の表示システムは、請求項１から４のいずれか一項に記載の表示システムにおいて、前記ディスプレイは、前方ディスプレイと後方ディスプレイとを距離を隔てて重畳配置して構成され、前記後方ディスプレイに表示された前記後方表示画面を、前記前方ディスプレイに表示された前記前方表示画面を通して視認可能であり、前記入力手段の接触検出面は、前記前方ディスプレイの前方に重畳配置され、前記入力制御手段は、前記接触検出面で検出された接触位置に対して、前記前方ディスプレイの前記前方表示画面に表示された操作画像に対応する入力を受け付ける前方入力領域と、前記後方ディスプレイの前記後方表示画面に表示された操作画像に対応する入力を受け付ける後方入力領域とを識別できるように設定し、前記接触検出面で検出された接触位置が前記後方入力領域から前記前方入力領域に入った場合、前記後方ディスプレイの前記後方表示画面に表示された操作画像に対応する制御を継続させると共に、前記前方ディスプレイの前記前方表示画面に表示された操作画像に対応する入力を受け付け不能とする制御を行う。
【００１１】
また、請求項６に記載の表示方法は、前方表示画面と後方表示画面とをディスプレイにより重畳的に表示可能である表示方法において、前記ディスプレイの前方に重畳配置された接触検出面を有する入力手段を介して入力を受け付ける入力ステップと、前記接触検出面で検出された接触位置に対して、前記前方表示画面に表示された操作画像に対応する入力を受け付ける前方入力領域と、前記後方表示画面に表示された操作画像に対応する入力を受け付ける後方入力領域とを識別できるように設定し、前記接触検出面で検出された接触位置が前記後方入力領域から前記前方入力領域に入った場合、前記後方表示画面に表示された操作画像に対応する制御を継続させると共に、前記前方表示画面に表示された操作画像に対応する入力を受け付け不能とする制御を行う入力制御ステップとを含む。
【００１２】
また、請求項７に記載の表示プログラムは、請求項６に記載の方法をコンピュータに実行させる。
【発明の効果】
【００１３】
請求項１に記載の表示システム、請求項６に記載の表示方法、及び請求項７に記載の表示プログラムによれば、接触検出面で検出された接触位置が後方入力領域から前方入力領域に入った場合、後方表示画面に表示された操作画像に対応する制御を継続させると共に、前方表示画面に表示された操作画像に対応する入力を受け付け不能とする制御を行うので、後方表示画面の表示画像に対応する入力を継続することが意図されている可能性が高い場合には後方表示画面に表示された操作画像に対応する入力を継続させることができ、接触検出面を備えた表示システムにおける操作性を向上させることができる。
【００１４】
また、請求項２に記載の表示システムによれば、接触検出面で検出された接触位置が後方入力領域から前方入力領域に入った場合、前方入力領域における接触位置が入った領域に対応する前方表示画面に表示された操作画像に対応するディスプレイの表示を変更するので、後方表示画面の表示画像に対応する入力を継続することが意図されている可能性が高い場合には後方表示画面に表示された操作画像に対応する入力を継続させることができると共に、後方表示画面に表示された操作画像の視認性を向上させることができ、接触検出面を備えた表示システムにおける操作性を一層向上させることができる。
【００１５】
また、請求項３に記載の表示システムによれば、接触検出面で検出された接触位置が後方入力領域から前方入力領域に入った場合、前方入力領域における接触位置が入った領域に対応する前方表示画面に表示された操作画像に対応するディスプレイの操作画像を消去するので、後方表示画面の表示画像に対応する入力を継続することが意図されている可能性が高い場合には後方表示画面に表示された操作画像に対応する入力を継続させることができると共に、後方表示画面に表示された操作画像の視認性を向上させることができ、接触検出面を備えた表示システムにおける操作性を一層向上させることができる。
【００１６】
また、請求項４に記載の表示システムによれば、接触検出面で検出された接触位置が後方入力領域から前方入力領域に入った場合、前方入力領域における接触位置が入った領域に対応する前方表示画面に表示されたディスプレイの操作画像を、接触位置が入った領域以外の領域に対応するように移動するので、後方表示画面の表示画像に対応する入力を継続することが意図されている可能性が高い場合には後方表示画面に表示された操作画像に対応する入力を継続させることができると共に、後方表示画面に表示された操作画像の視認性を向上させることができ、接触検出面を備えた表示システムにおける操作性を一層向上させることができる。
【００１７】
また、請求項５に記載の表示システムによれば、接触検出面で検出された接触位置が後方入力領域から前方入力領域に入った場合、後方ディスプレイの後方表示画面に表示された操作画像に対応する制御を継続させると共に、前方ディスプレイの前方表示画面に表示された操作画像に対応する入力を受け付け不能とする制御を行うので、前方ディスプレイと後方ディスプレイとを重畳配置して構成されたマルチレイヤーディスプレイ型の表示システムにおいて、操作性を一層向上させることができる。
【図面の簡単な説明】
【００１８】
【図１】実施の形態１に係る表示システムを例示するブロック図である。
【図２】前方ディスプレイ及び後方ディスプレイの配置を概略的に示した斜視図である。
【図３】前方ディスプレイ及び後方ディスプレイの表示を例示した正面図であり、図３（ａ）は前方ディスプレイの表示を例示した図、図３（ｂ）は後方ディスプレイの表示を例示した図、図３（ｃ）は重畳配置された前方ディスプレイ及び後方ディスプレイの前方から見た場合の表示を例示した図である。
【図４】表示処理のフローチャートである。
【図５】入力制御処理のフローチャートである。
【図６】重畳配置された前方ディスプレイ及び後方ディスプレイの正面図である。
【図７】重畳配置された前方ディスプレイ及び後方ディスプレイの正面図であり、図７（ａ）は接触位置が後方入力領域から前方入力領域に入る前を示す図、図７（ｂ）は接触位置が後方入力領域から前方入力領域に入った後を示す図である。
【発明を実施するための形態】
【００１９】
以下、本発明に係る表示システム、表示方法、及び表示プログラムの各実施の形態について図面を参照しつつ詳細に説明する。ただし、これらの各実施の形態によって本発明が限定されるものではない。なお、本発明に係る表示システム、表示方法、及び表示プログラムは、任意の目的に使用することができるが、以下の各実施の形態では、カーナビゲーションシステムに適用した例を示す。
【００２０】
〔実施の形態１〕
まず、実施の形態１に係る表示システムについて説明する。この実施の形態１は、接触検出面で検出された接触位置が、後方ディスプレイに表示された操作画像に対応する入力を受け付ける後方入力領域から、前方ディスプレイに表示された操作画像に対応する入力を受け付ける前方入力領域に入った場合、後方ディスプレイに表示された操作画像に対応する入力を継続させると共に、前方ディスプレイに表示された操作画像に対応する入力を受け付け不能とする形態である。
【００２１】
（構成）
最初に、実施の形態１に係る表示システムの構成について説明する。図１は実施の形態１に係る表示システムを例示するブロック図である。この図１に示すように、表示システム１は、タッチパネル１０、前方ディスプレイ１１、後方ディスプレイ１２、制御部１３、及びデータ記録部１４を備えている。
【００２２】
（構成−タッチパネル）
タッチパネル１０は、前方ディスプレイ１１の前方に重畳配置された接触検出面１０ａを有する入力手段である。このタッチパネル１０は、透明又は半透明状に形成され、前方ディスプレイ１１の前面において当該前方ディスプレイ１１の表示面と重なり合うように設けられている。このタッチパネル１０としては、例えば抵抗膜方式や静電容量方式等による接触検出面１０ａを備えた公知のタッチパネルを使用することができる。
【００２３】
（構成−前方ディスプレイ及び後方ディスプレイ）
前方ディスプレイ１１及び後方ディスプレイ１２は、制御部１３の制御に基づき、各種の情報を表示する表示手段である。これらの前方ディスプレイ１１及び後方ディスプレイ１２は、例えば公知の液晶ディスプレイや有機ＥＬディスプレイの如きフラットパネルディスプレイを用いて構成されている。
【００２４】
図２は、前方ディスプレイ１１及び後方ディスプレイ１２の配置を概略的に示した斜視図である。この図２に示すように、前方ディスプレイ１１と後方ディスプレイ１２とは距離を隔てて重畳配置されている。ここで「前方」とは、前方ディスプレイ１１及び後方ディスプレイ１２における表示方向（図２における矢印の方向）を意味する。すなわち、後方ディスプレイ１２における表示面側に、前方ディスプレイ１１が重畳配置されている。
【００２５】
前方ディスプレイ１１は後方ディスプレイ１２の表示を透過可能なディスプレイ（例えば透明液晶ディスプレイや透明有機ＥＬディスプレイ）として構成されている。これにより、後方ディスプレイ１２の表示を前方ディスプレイ１１を通して視認可能である。すなわち、後方ディスプレイ１２の表示を前方ディスプレイ１１を透過させて、若しくは、後方ディスプレイ１２の表示を前方ディスプレイ１１の表示に重畳させて、表示可能である。
【００２６】
また、後方ディスプレイ１２が液晶ディスプレイである場合、図２に示すように、後方ディスプレイ１２を構成する液晶パネルの後方にバックライトが設けられる。このバックライトから発せられた光は、後方ディスプレイ１２の液晶パネルを介して当該後方ディスプレイ１２の前方に射出されて前方ディスプレイ１１に到達し、さらに前方ディスプレイ１１を介して当該前方ディスプレイ１１の前方に進行する。このように後方ディスプレイ１２から前方ディスプレイ１１に入射する光を前方ディスプレイ１１のバックライトとして利用することで、前方ディスプレイ１１の表示が視認可能となる。なお、有機ＥＬディスプレイを用いて後方ディスプレイ１２を構成した場合には、有機ＥＬディスプレイの各画素が自発光するため、バックライトは不要となる。
【００２７】
また、後方ディスプレイ１２には、複数の表示レイヤー（ソフトレイヤー）をソフトウェアにより仮想的に重畳して表示することができる。例えば、図２に例示するように、後方ディスプレイ１２において仮想的に重畳された２つの表示レイヤー（最前方レイヤー及び後方レイヤー）を表示することができる。以下では、前方ディスプレイ１１に表示された画面（前方表示画面）と後方ディスプレイ１２に表示された画面（後方表示画面）とを重畳表示させる場合について説明する。ただし、本発明は、ディスプレイを一つのみ備えた表示システムに適用することもできる。すなわち、当該ディスプレイにおいて、上記のように、前方の表示レイヤーに表示された画面（前方表示画面）と後方の表示レイヤーに表示された画面（後方表示画面）とをソフトウェアにより仮想的に重畳表示させてもよい。
【００２８】
図３は前方ディスプレイ１１及び後方ディスプレイ１２の表示を例示した正面図であり、図３（ａ）は前方ディスプレイ１１の表示を例示した図、図３（ｂ）は後方ディスプレイ１２の表示を例示した図、図３（ｃ）は重畳配置された前方ディスプレイ１１及び後方ディスプレイ１２の前方から見た場合の表示を例示した図である。例えば図３（ａ）に示すように、前方ディスプレイ１１には各種アイコンが表示される。また、前方ディスプレイ１１におけるアイコン以外の領域は透明になるように設定される（例えば前方ディスプレイ１１が液晶ディスプレイを用いて構成されている場合、アイコン以外の領域の色が「白」に設定される）。また、図３（ｂ）に示すように、後方ディスプレイ１２には地図が表示される。この場合、図３（ｃ）に示すように、前方ディスプレイ１１におけるアイコン以外の領域では後方ディスプレイ１２に表示されている地図を前方ディスプレイ１１を透過させて表示可能となっている。また、前方ディスプレイ１１におけるアイコンの領域では、後方ディスプレイ１２に表示されている地図を前方ディスプレイ１１に表示されているアイコンに重畳させて表示可能となっている（すなわち、前方ディスプレイ１１のアイコンと後方ディスプレイ１２の地図とが重なって見える）。
【００２９】
（構成−制御部）
図１に戻り、制御部１３は、表示システム１の各部を制御するための制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示システム１にインストールされることで、制御部１３の各部を実質的に構成する。
【００３０】
この制御部１３は、機能概念的に、入力制御部１３ａ、及び表示制御部１３ｂを備えている。入力制御部１３ａは、前方ディスプレイ１１に表示された操作画像に対応する入力や、後方ディスプレイ１２に表示された操作画像に対応する入力の受け付けを制御する入力制御手段である。表示制御部１３ｂは、前方ディスプレイ１１及び後方ディスプレイ１２の表示制御を行う表示制御手段である。これらの制御部１３の各部によって実行される処理の詳細については後述する。
【００３１】
（構成−データ記録部）
データ記録部１４は、表示システム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００３２】
（処理）
次に、このように構成された表示システム１によって実行される表示処理について説明する。図４は表示処理のフローチャートである（以下の各処理の説明ではステップを「Ｓ」と略記する）。この表示処理は、例えばナビゲーションアプリケーションやＨＭＩ（Ｈｕｍａｎ  Ｍａｃｈｉｎｅ  Ｉｎｔｅｒｆａｃｅ）アプリケーション（いずれも図示省略）等により、前方ディスプレイ１１及び後方ディスプレイ１２の全体として何を表示するのかが決定された場合に、繰り返し実行される。
【００３３】
図４に示すように、表示処理が開始されると、表示制御部１３ｂは前方ディスプレイ１１の表示制御を行う（ＳＡ１）。例えば表示制御部１３ｂは、ナビゲーションアプリケーションやＨＭＩアプリケーションにより決定された表示の中で前方ディスプレイ１１に表示させるべき画像や文字等（図３の例ではアイコン）を、前方ディスプレイ１１の表示態様として決定する。ここで「表示態様」とは、前方ディスプレイ１１や後方ディスプレイ１２における表示の状態や内容を含む概念であり、より詳細には、前方ディスプレイ１１や後方ディスプレイ１２における表示の明度、色、形状、種別や、当該表示としての画像、文字、情報等の内容を含む。そして、当該決定した表示態様に含まれる画像や文字等の画像データをデータ記録部１４から取得し、各画像データを前方ディスプレイ１１の所定の位置に表示するための表示データを生成する。このように生成した表示データに基づき、前方ディスプレイ１１の表示制御を行う。
【００３４】
続いて表示制御部１３ｂは、後方ディスプレイ１２の表示制御を行う（ＳＡ２）。例えば表示制御部１３ｂは、ナビゲーションアプリケーションやＨＭＩアプリケーションにより決定された表示の中で後方ディスプレイ１２に表示させるべき画像や文字等（図３の例では地図）を、後方ディスプレイ１２の表示態様として決定する。そして、当該決定した表示態様に含まれる画像や文字等の画像データをデータ記録部１４から取得し、各画像データを後方ディスプレイ１２の所定の位置に表示するための表示データを生成する。このように生成した表示データに基づき、後方ディスプレイ１２の表示制御を行う。
【００３５】
次に入力制御部１３ａは、前方ディスプレイ１１に表示された操作画像に対応する入力を受け付ける前方入力領域を、接触検出面１０ａで検出された接触位置が前方入力領域に入力されたとして識別できるように設定する（ＳＡ３）。ここで「操作画像」とは、タッチパネル１０を介した入力操作の対象となる画像を意味するものであり、例えばタッチパネル１０を介した押下操作の対象となる各種アイコンやスイッチ等の画像の他、タッチパネル１０を介したフリック操作や拡大・縮小操作等の対象となる地図や写真等の画像も操作画像に含まれ得る。例えばナビゲーションアプリケーションやＨＭＩアプリケーションが前方ディスプレイ１１及び後方ディスプレイ１２の全体として何を表示するのかを決定する際に、これらのアプリケーションにより、前方ディスプレイ１１や後方ディスプレイ１２に表示させる操作画像が決定され、各操作画像を特定する情報が表示システム１に入力される。このようにして入力された情報と、ＳＡ１で表示制御部１３ｂにより生成された表示データとに基づき、入力制御部１３ａは、前方ディスプレイ１１に表示される操作画像を特定する（図３の例ではアイコン）。そして、特定した操作画像に対応する接触検出面１０ａ上の領域（例えば各アイコンと重なる領域）を、接触検出面１０ａで検出された接触位置が前方入力領域に入力されたとして識別できる当該操作画像に対応する入力を受け付ける前方入力領域として設定する。操作画像が複数存在する場合には、各操作画像に対応する複数の前方入力領域が設定される。
【００３６】
続いて入力制御部１３ａは、後方ディスプレイ１２に表示された操作画像に対応する入力を受け付ける後方入力領域を、接触検出面１０ａで検出された接触位置が後方入力領域に入力されたとして識別できるように設定する（ＳＡ４）。例えば入力制御部１３ａは、ナビゲーションアプリケーションやＨＭＩアプリケーションにより入力された各操作画像を特定する情報と、ＳＡ１で表示制御部１３ｂにより生成された表示データとに基づき、後方ディスプレイ１２に表示される操作画像を特定する（図３の例では地図）。そして、特定した操作画像に対応する接触検出面１０ａ上の領域（例えば地図と重なる領域）を、接触検出面１０ａで検出された接触位置が後方入力領域に入力されたとして識別できる、当該操作画像に対応する入力を受け付ける後方入力領域として設定する。なお本実施の形態では、後方ディスプレイ１２の全体に操作画像（例えば地図）が表示され、当該操作画像と重なる接触検出面１０ａの全領域が後方入力領域として設定されるものとする。
【００３７】
次に入力制御部１３ａは、前方ディスプレイ１１や後方ディスプレイ１２に表示された操作画像に対応する入力の受け付けを制御するための入力制御処理を実行する（ＳＡ５）。
【００３８】
（処理−入力制御処理）
ここで、入力制御処理について説明する。図５は入力制御処理のフローチャートである。
【００３９】
図５に示すように、入力制御処理が開始されると、入力制御部１３ａは、タッチパネル１０の接触検出面１０ａにおいて接触が検出されるまで待機する（ＳＢ１、Ｎｏ）。そして、タッチパネル１０の接触検出面１０ａにおいて接触が検出された場合（ＳＢ１、Ｙｅｓ）、接触検出面１０ａで検出された接触位置が前方入力領域か否かを判定する（ＳＢ２）。すなわち入力制御部１３ａは、接触検出面１０ａにおける検出位置を示す座標が、図４のＳＡ３で設定された前方入力領域内に含まれているか否かを判定する。
【００４０】
その結果、接触検出面１０ａで検出された接触位置が前方入力領域である場合（ＳＢ２、Ｙｅｓ）、すなわち接触検出面１０ａにおける検出位置を示す座標が図４のＳＡ３で設定された前方入力領域内に含まれている場合、入力制御部１３ａは、接触検出面１０ａで検出された接触を、前方ディスプレイ１１に表示された操作画像に対応する入力として受け付ける（ＳＢ３）。
【００４１】
図６は、重畳配置された前方ディスプレイ１１及び後方ディスプレイ１２の正面図である。この図６では、操作画像として前方ディスプレイ１１にアイコンが表示され、後方ディスプレイ１２に地図が表示されている。この場合、接触検出面１０ａにおいて各アイコンと重なる領域が前方入力領域として設定され、地図と重なる領域が後方入力領域として設定される。ＳＢ１において接触検出面１０ａで検出された接触位置がアイコンと重なる領域である場合、入力制御部１３ａは、当該アイコンに対応する入力（例えばアイコンを押下する入力）として受け付ける。
【００４２】
図５に戻り、ＳＢ３の処理の後、入力制御部１３ａは、ＳＢ３で受け付けた入力に対応する処理を実行する（ＳＢ４）。例えば図６の例でアイコンに対応する入力が受け付けられた場合、入力制御部１３ａは当該アイコンに対応する処理を実行する。その後、入力制御部１３ａは入力制御処理を終了し、メインルーチンに戻る。
【００４３】
図５に戻り、ＳＢ２において、接触検出面１０ａで検出された接触位置が前方入力領域ではない場合（ＳＢ２、Ｎｏ）、すなわち接触検出面１０ａにおける検出位置を示す座標が図４のＳＡ３で設定された前方入力領域内に含まれていない場合、上述のように本実施の形態では接触検出面１０ａの全領域が後方入力領域として設定されていることから、接触検出面１０ａで検出された接触位置は必ず後方入力領域内に含まれている。従って入力制御部１３ａは、接触検出面１０ａで検出された接触を、後方ディスプレイ１２に表示された操作画像に対応する入力として受け付ける（ＳＢ５）。図６の例では、入力制御部１３ａは、接触検出面１０ａで検出された接触位置が前方入力領域ではない場合、後方ディスプレイ１２に表示された地図に対応する入力（例えば地図を移動させるためのなぞり入力等）として受け付ける。
【００４４】
図５に戻り、ＳＢ５の処理の後、入力制御部１３ａは、ＳＢ５で受け付けた入力に対応する処理を実行する（ＳＢ６）。例えば図６で地図に対応する入力が受け付けられた場合、入力制御部１３ａは当該地図に対応する処理を実行する（例えば地図の移動、拡大、縮小等）。
【００４５】
図５に戻り、ＳＢ６の処理の後、入力制御部１３ａは、接触検出面１０ａで検出された接触位置が後方入力領域から前方入力領域に入った否かを判定する（ＳＢ７）。具体的には、ＳＢ２において、接触検出面１０ａで検出された接触位置が前方入力領域ではない（ＳＢ２、Ｎｏ）と判定された後、接触位置が移動して前方入力領域に入った場合に、入力制御部１３ａは接触位置が後方入力領域から前方入力領域に入ったと判定する。
【００４６】
その結果、接触検出面１０ａで検出された接触位置が後方入力領域から前方入力領域に入った場合（ＳＢ７、Ｙｅｓ）、操作者は後方ディスプレイ１２の表示画像に対応する入力を継続することを意図している可能性が高いものとし、入力制御部１３ａは、後方ディスプレイ１２に表示された操作画像に対応する入力を継続させると共に、前方ディスプレイ１１に表示された操作画像に対応する入力の受け付けを禁止する（ＳＢ８）。例えば図６において矢印で示すように、接触検出面１０ａで検出された接触位置が後方入力領域（アイコンが表示されていない領域）から前方入力領域（アイコンが表示されている領域）に入った場合、入力制御部１３ａは、後方ディスプレイ１２に表示された地図に対応する入力（例えば地図を移動させるためのなぞり入力）を継続させると共に、前方ディスプレイ１１に表示されたアイコンに対応する入力の受け付けを禁止する。これにより、接触位置がアイコン上に移動したとしても、当該アイコンに対応する処理は実行されず、地図に対応する処理が継続される。
【００４７】
図５に戻り、接触検出面１０ａで検出された接触位置が後方入力領域から前方入力領域に入っていない場合（ＳＢ７、Ｎｏ）、すなわち接触検出面１０ａで検出された接触位置が後方入力領域に留まっている場合、又はＳＢ８の処理の後、入力制御部１３ａは入力が終了したか否かを判定する（ＳＢ９）。例えば入力制御部１３ａは、接触検出面１０ａで接触が検出されなくなった場合、入力が終了したと判定する。一方、接触検出面１０ａにおける接触の検出が継続している場合、入力が終了していないと判定する。
【００４８】
その結果、入力が終了していない場合（ＳＢ９、Ｎｏ）、入力制御部１３ａはＳＢ５に戻る。以降、入力が終了するまで、ＳＢ５からＳＢ９の処理を繰り返す。
【００４９】
一方、入力が終了した場合（ＳＢ９、Ｙｅｓ）、入力制御部１３ａは、前方ディスプレイ１１に表示された操作画像に対応する入力の受け付け禁止を解除する（ＳＢ１０）。その後、入力制御部１３ａは入力制御処理を終了し、メインルーチンに戻る。
【００５０】
図４に戻り、ＳＡ５で入力制御処理を実行した後、制御部１３は表示処理を終了する。
【００５１】
（効果）
このように実施の形態１によれば、接触検出面１０ａで検出された接触位置が後方入力領域から前方入力領域に入った場合、後方表示画面に表示された操作画像に対応する制御を継続させると共に、前方表示画面に表示された操作画像に対応する入力を受け付け不能とする制御を行うので、後方表示画面の表示画像に対応する入力を継続することが意図されている可能性が高い場合には後方表示画面に表示された操作画像に対応する入力を継続させることができ、接触検出面１０ａを備えた表示システム１における操作性を向上させることができる。
【００５２】
また、接触検出面で検出された接触位置が後方入力領域から前方入力領域に入った場合、後方ディスプレイ１２の後方表示画面に表示された操作画像に対応する制御を継続させると共に、前方ディスプレイ１１の前方表示画面に表示された操作画像に対応する入力を受け付け不能とする制御を行うので、前方ディスプレイ１１と後方ディスプレイ１２とを重畳配置して構成されたマルチレイヤーディスプレイ型の表示システム１において、操作性を一層向上させることができる。
【００５３】
〔実施の形態２〕
次に、実施の形態２に係る表示システムについて説明する。この実施の形態２は、接触検出面で検出された接触位置が後方入力領域から前方入力領域に入った場合、入力制御手段が、前方入力領域における接触位置が入った領域に対応する前方ディスプレイの表示を変更する形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５４】
（処理−入力制御処理）
実施の形態２に係る表示システム１によって実行される入力制御処理について説明する。なお、図５におけるＳＢ８及びＳＢ１０の内容を除き、各処理は実施の形態１で説明した入力制御処理の各処理と同様であるので、図示及び説明を省略する。
【００５５】
図５のＳＢ７において、接触検出面１０ａで検出された接触位置が後方入力領域から前方入力領域に入った場合（ＳＢ７、Ｙｅｓ）、操作者は後方ディスプレイ１２の表示画像に対応する入力を継続することを意図している可能性が高いものとし、入力制御部１３ａは、後方ディスプレイ１２に表示された操作画像に対応する入力を継続させると共に、前方入力領域における当該接触位置が入った領域に対応する前方ディスプレイ１１の表示を変更する（ＳＢ８）。
【００５６】
図７は重畳配置された前方ディスプレイ１１及び後方ディスプレイ１２の正面図であり、図７（ａ）は接触位置が後方入力領域から前方入力領域に入る前を示す図、図７（ｂ）は接触位置が後方入力領域から前方入力領域に入った後を示す図である。この図７では、図６と同様に操作画像として前方ディスプレイ１１にアイコンが表示され、後方ディスプレイ１２に地図が表示されている。すなわち、各アイコンと重なる領域が前方入力領域として設定され、地図と重なる領域が後方入力領域として設定される。
【００５７】
図７（ａ）において矢印で示すように、接触検出面１０ａで検出された接触位置が後方入力領域（アイコンが表示されていない領域）から前方入力領域（アイコンが表示されている領域）に入った場合、入力制御部１３ａは、後方ディスプレイ１２に表示された地図に対応する入力（例えば地図を移動させるためのなぞり入力）を継続させると共に、図７（ｂ）に示すように前方入力領域における当該接触位置が入った領域に対応する前方ディスプレイ１１のアイコンを消去する。より詳細には、入力制御部１３ａは、図７（ｂ）に示すように接触位置に対応する位置に表示されているアイコンを含む複数のアイコンの一部を消去する。ただし、いずれかのアイコンが表示されている領域に接触位置が入った場合に、全てのアイコンを消去してもよく、あるいは接触位置に対応する位置に表示されているアイコンのみを消去してもよい。これにより、接触位置がアイコン上に移動したとしても、当該アイコンに対応する処理は実行されず、地図に対応する処理が継続される。さらにアイコンが消去されるため、接触位置に対応する後方ディスプレイ１２の地図が視認可能となり、操作性を一層向上することができる。この場合、図５のＳＢ９において入力が終了すると（ＳＢ９、Ｙｅｓ）、入力制御部１３ａは、ＳＢ８で消去したアイコンを前方ディスプレイ１１に再表示させる（ＳＢ１０）。
【００５８】
また、図７（ａ）において矢印で示すように、接触検出面１０ａで検出された接触位置が後方入力領域（アイコンが表示されていない領域）から前方入力領域（アイコンが表示されている領域）に入った場合、入力制御部１３ａは、前方入力領域における当該接触位置が入った領域に対応する前方ディスプレイ１１のアイコンを、当該接触位置が入った領域以外の領域に対応するように移動するようにしてもよい。より詳細には、入力制御部１３ａは、接触位置に対応する位置に表示されているアイコンを含む複数のアイコンの一部の表示位置を、接触位置とは異なる領域に対応する位置に移動させる。ただし、いずれかのアイコンが表示されている領域に接触位置が入った場合に、全てのアイコンの表示位置を移動してもよく、あるいは接触位置に対応する位置に表示されているアイコンの表示位置のみを移動してもよい。これにより、接触位置がアイコン上に移動したとしても、当該アイコンに対応する処理は実行されず、地図に対応する処理が継続される。さらにアイコンが移動されるため、接触位置に対応する後方ディスプレイ１２の地図が視認可能となり、操作性を一層向上することができる。この場合、図５のＳＢ９において入力が終了すると（ＳＢ９、Ｙｅｓ）、入力制御部１３ａは、ＳＢ８で移動したアイコンを、前方ディスプレイ１１における元の表示位置に再移動させる（ＳＢ１０）。
【００５９】
（効果）
このように実施の形態２によれば、接触検出面１０ａで検出された接触位置が後方入力領域から前方入力領域に入った場合、前方入力領域における接触位置が入った領域に対応する前方表示画面に表示された操作画像に対応する前方ディスプレイ１１の表示を変更するので、後方表示画面の表示画像に対応する入力を継続することが意図されている可能性が高い場合には後方表示画面に表示された操作画像に対応する入力を継続させることができると共に、後方表示画面に表示された操作画像の視認性を向上させることができ、接触検出面１０ａを備えた表示システム１における操作性を一層向上させることができる。
【００６０】
また、接触検出面１０ａで検出された接触位置が後方入力領域から前方入力領域に入った場合、前方入力領域における接触位置が入った領域に対応する前方表示画面に表示された操作画像に対応する前方ディスプレイ１１の操作画像を消去するので、後方表示画面の表示画像に対応する入力を継続することが意図されている可能性が高い場合には後方表示画面に表示された操作画像に対応する入力を継続させることができると共に、後方表示画面に表示された操作画像の視認性を向上させることができ、接触検出面１０ａを備えた表示システム１における操作性を一層向上させることができる。
【００６１】
また、接触検出面１０ａで検出された接触位置が後方入力領域から前方入力領域に入った場合、前方入力領域における接触位置が入った領域に対応する前方表示画面に表示された前方ディスプレイ１１の操作画像を、接触位置が入った領域以外の領域に対応するように移動するので、後方表示画面の表示画像に対応する入力を継続することが意図されている可能性が高い場合には後方表示画面に表示された操作画像に対応する入力を継続させることができると共に、後方表示画面に表示された操作画像の視認性を向上させることができ、接触検出面１０ａを備えた表示システム１における操作性を一層向上させることができる。
【００６２】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００６４】
（表示システムについて）
上述の実施の形態では、前方ディスプレイ１１と後方ディスプレイ１２が距離を隔てて重畳配置された表示システム１について説明したが、このような２枚のディスプレイを重畳配置する場合に限らず、３枚以上の複数のディスプレイが距離を隔てて重畳配置された表示システムにも本発明を同様に適用することができる。
【００６５】
（入力制御処理について）
上述の実施の形態２では、接触検出面１０ａで検出された接触位置が後方入力領域から前方入力領域に入った場合、前方入力領域における当該接触位置が入った領域に対応する前方ディスプレイ１１の操作画像を消去するか、あるいは、前方入力領域における当該接触位置が入った領域に対応する前方ディスプレイ１１の操作画像を、当該接触位置が入った領域以外の領域に対応するように移動すると説明したが、これとは異なる方法により、前方入力領域における当該接触位置が入った領域に対応する前方ディスプレイ１１の表示を変更するようにしてもよい。例えば、前方入力領域における当該接触位置が入った領域に対応する前方ディスプレイ１１の操作画像を縮小したり、操作画像の表示色をトーンダウンさせてもよい。これと共に、実施の形態１と同様に、前方ディスプレイ１１に表示された操作画像に対応する入力の受け付けを禁止してもよい。
【符号の説明】
【００６６】
１  表示システム
１０  タッチパネル
１０ａ  接触検出面
１１  前方ディスプレイ
１２  後方ディスプレイ
１３  制御部
１３ａ  入力制御部
１３ｂ  表示制御部
１４  データ記録部
【図１】
2013131188.tif 000003
【図２】
2013131188.tif 000004
【図３】
2013131188.tif 000005
【図４】
2013131188.tif 000006
【図５】
2013131188.tif 000007
【図６】
2013131188.tif 000008
【図７】
2013131188.tif 000009